(57)【特許請求の範囲】
【請求項１】
電動ウインチを有する吊下げ昇降機構を備え、その吊下げ昇降機構によりエレベータの昇降路内に吊下げられ、かつ前記電動ウインチによる駆動で前記昇降路内を上下に移動して昇降路内にエレベータ用品を据え付けるために使用されるゴンドラ装置であって、
前記吊下げ昇降機構により前記昇降路内に吊下げられるゴンドラ本体と、このゴンドラ本体の前部にその前方に向く水平方向に伸縮可能に設けられた前側手摺枠部と、前記ゴンドラ本体の後部にその後方に向く水平方向に伸縮可能に設けられた継ぎ足し手摺枠部と、この継ぎ足し手摺枠部の後部に脱着可能に取り付けられて該継ぎ足し手摺枠部の後方側に延びる後側手摺枠部と、前記前側手摺枠部及び前記継ぎ足し手摺枠部が前記ゴンドラ本体に対して伸長され、かつ前記継ぎ足し手摺枠部の後部に前記後側手摺枠部が取り付けられる状態のもとで、その前側手摺枠部、継ぎ足し手摺枠部及び後側手摺枠部の各底部に並列して段差のない一様な状態に敷き込まれる複数枚の足場板とを備えることを特徴とするエレベータ用品据え付け用ゴンドラ装置。
【請求項２】
前記ゴンドラ本体の底部には、該ゴンドラ本体の後方に向く水平方向に伸縮可能な支え装置が設けられ、前記継ぎ足し手摺枠部を前記ゴンドラ本体からその後方側に伸長させたときに、前記支え装置を前記ゴンドラ本体からその後方側に伸長させて前記継ぎ足し手摺枠部を下から支えて支持することが可能なことを特徴とする請求項１に記載のエレベータ用品据え付け用ゴンドラ装置。
【請求項３】
前記前側手摺枠部の前部には、ゴンドラ装置への乗り降りの際に使用する跳ね出し足場が設けられ、この跳ね出し足場は、左右側の両端部がリンクレバーを介して前記前側手摺枠部の前部に連結され、前記リンクレバーはほぼ逆Ｌ字状をなし、その一端部が前記前側手摺枠部に回動自在に枢着され、他端部が前記跳ね出し足場の端部に回動自在に枢着され、さらに前記跳ね出し足場の前部と前記前側手摺枠部との間には支持用のチェーンが掛け渡され、このチェーンと前記リンクレバーとで支持されて前記跳ね出し足場の後端面が前記前側手摺枠部の前面下部に当接することにより前記跳ね出し足場がほぼ水平に保持され、この状態から前記跳ね出し足場が上方に回動して前記前側手摺枠部の内側に移動することで前記前側手摺枠部の内側下部に収納することが可能なことを特徴とする請求項１又は２に記載のエレベータ用品据え付け用ゴンドラ装置。
【請求項４】
請求項１乃至３のいずれかに記載のゴンドラ装置を前記昇降路内に搬入し、前記昇降路内において前記前側手摺枠部及び継ぎ足し手摺枠部を伸長し、かつその継ぎ足し手摺枠部に後側手摺枠部を取り付けてゴンドラ装置を拡張し、この状態でゴンドラ装置を前記吊下げ機構により前記昇降路内に吊下げ、かつゴンドラ装置内に作業員が乗り込み、前記電動ウインチを制御してゴンドラ装置を上下に移動させながら前記昇降路内にエレベータ用品を据え付けることを特徴とするエレベータ用品据え付け作業方法。
【発明の詳細な説明】
【技術分野】
【０００１】
この発明は、建屋の昇降路内にエレベータを設置する際に、その昇降路内に各種のエレベータ用品を据え付けるために使用されるエレベータ用品据え付け用ゴンドラ装置及びそのゴンドラ装置を用いて昇降路内にエレベータ用品を据え付ける作業方法に関する。
【背景技術】
【０００２】
例えば特許第２５１１２３８号公報に見られるように、作業現場おいて作業用のゴンドラ装置を用いることは、一般に知られている。
【０００３】
建屋の昇降路内にエレベータを設置する作業の際にも、その昇降路内に各種のエレベータ用品を据え付けるためにゴンドラ装置が使用される。
【０００４】
エレベータの場合、低層の建屋であれば、昇降路内に足場を組み立て、その足場を用いてガイドレールなどのエレベータ用品を昇降路内に据え付ける足場工法が採用されるが、中高層の建屋の場合には、駆動用ロープを昇降路の天井部に取り付け、電動エンドレスウインチを備えたゴンドラ装置で昇降路内を上下に移動してエレベータ用品を据え付けるゴンドラ工法が採用される。
【特許文献１】特許第２５１１２３８号公報
【発明の開示】
【発明が解決しようとする課題】
【０００５】
ところで、近年では、住宅用のエレベータにおいても、昇降路の奥行寸法の大きなものが普及し、また病院などに設置される寝台用のエレベータなどにおいても昇降路の奥行寸法がかなり大きくなる。
【０００６】
このような昇降路の奥行寸法の大きなエレベータにあっては、従来のゴンドラ装置ではゴンドラ本体と昇降路の背面との間の間隔が大きく開き、ゴンドラ本体から作業員が大きく身を乗り出さなければその背面にエレベータ用品を据え付けることができず、作業能率が大幅に低下するばかりでなく、安全性の点でも大きな問題が生じる。
【０００７】
ゴンドラ装置を予め昇降路の平断面の広がりに合う大きさに構成しておけば、昇降路の背面へのエレベータ用品の据え付けを容易に行なえるが、ゴンドラ装置を予め大きく構成してしまうと、その搬出に問題が生じる。
【０００８】
すなわち、ゴンドラ装置は、建屋のエレベータホールに形成された出入口を通して昇降路内に搬入し、各種のエレベータ用品の据え付けに用いられるが、そのエレベータ用品のなかには前記出入口の内周部分に据え付ける三方枠がある。そして、出入口に三方枠を据え付け、さらにその他のエレベータ用品の据え付けが完了した後に、ゴンドラ装置を前記出入口から搬出するわけであるが、この際、前記出入口には三方枠が据え付けられ、その間口が幾分狭くなっており、このためゴンドラ装置を予め大きく構成しておくと、その出入口を通してゴンドラ装置を搬出するときに前記三方枠にゴンドラ装置が引っ掛かって搬出が困難になってしまうという問題が生じる。
【０００９】
この発明はこのような点に着眼してなされたもので、その目的とするところは、奥行寸法の大きな昇降路であっても、昇降路の背面に容易に能率よくエレベータ用品を据え付けることができるとともに、昇降路からの搬出も容易に問題なく行なえるエレベータ用品据え付け用ゴンドラ装置及びそのゴンドラ装置を用いて昇降路内にエレベータ用品を据え付ける作業方法を提供することにある。
【課題を解決するための手段】
【００１０】
請求項１の発明は、電動ウインチを有する吊下げ昇降機構を備え、その吊下げ昇降機構によりエレベータの昇降路内に吊下げられ、かつ前記電動ウインチによる駆動で前記昇降路内を上下に移動して昇降路内にエレベータ用品を据え付けるために使用されるゴンドラ装置であって、前記吊下げ昇降機構により前記昇降路内に吊下げられるゴンドラ本体と、このゴンドラ本体の前部にその前方に向く水平方向に伸縮可能に設けられた前側手摺枠部と、前記ゴンドラ本体の後部にその後方に向く水平方向に伸縮可能に設けられた継ぎ足し手摺枠部と、この継ぎ足し手摺枠部の後部に脱着可能に取り付けられて該継ぎ足し手摺枠部の後方側に延びる後側手摺枠部と、前記前側手摺枠部及び前記継ぎ足し手摺枠部が前記ゴンドラ本体に対して伸長され、かつ前記継ぎ足し手摺枠部の後部に前記後側手摺枠部が取り付けられる状態のもとで、その前側手摺枠部、継ぎ足し手摺枠部及び後側手摺枠部の各底部に並列して段差のない一様な状態に敷き込まれる複数枚の足場板とを備えることを特徴とするエレベータ用品据え付け用ゴンドラ装置である。
【００１１】
請求項２の発明は、前記ゴンドラ本体の底部に、該ゴンドラ本体の後方に向く水平方向に伸縮可能な支え装置が設けられ、前記継ぎ足し手摺枠部を前記ゴンドラ本体からその後方側に伸長させたときに、前記支え装置を前記ゴンドラ本体からその後方側に伸長させて前記継ぎ足し手摺枠部を下から支えて支持することが可能なことを特徴とする請求項１に記載のエレベータ用品据え付け用ゴンドラ装置である。
【００１２】
請求項３の発明は、前記前側手摺枠部の前部には、ゴンドラ装置への乗り降りの際に使用する跳ね出し足場が設けられ、この跳ね出し足場は、左右側の両端部がリンクレバーを介して前記前側手摺枠部の前部に連結され、前記リンクレバーはほぼ逆Ｌ字状をなし、その一端部が前記前側手摺枠部に回動自在に枢着され、他端部が前記跳ね出し足場の端部に回動自在に枢着され、さらに前記跳ね出し足場の前部と前記前側手摺枠部との間には支持用のチェーンが掛け渡され、このチェーンと前記リンクレバーとで支持されて前記跳ね出し足場の後端面が前記前側手摺枠部の前面下部に当接することにより前記跳ね出し足場がほぼ水平に保持され、この状態から前記跳ね出し足場が上方に回動して前記前側手摺枠部の内側に移動することで前記前側手摺枠部の内側下部に収納することが可能なことを特徴とする請求項１又は２に記載のエレベータ用品据え付け用ゴンドラ装置である。
【００１３】
請求項４の発明は、請求項１乃至３のいずれかに記載のゴンドラ装置を前記昇降路内に搬入し、前記昇降路内において前記前側手摺枠部及び継ぎ足し手摺枠部を伸長し、かつその継ぎ足し手摺枠部に後側手摺枠部を取り付けてゴンドラ装置を拡張し、この状態でゴンドラ装置を前記吊下げ機構により前記昇降路内に吊下げ、かつゴンドラ装置内に作業員が乗り込み、前記電動ウインチを制御してゴンドラ装置を上下に移動させながら前記昇降路内にエレベータ用品を据え付けることを特徴とするエレベータ用品据え付け作業方法である。
【発明の効果】
【００１４】
この発明によれば、奥行寸法の大きな昇降路であっても、拡張したゴンドラ装置に乗って昇降路の背面に容易に能率よくエレベータ用品を据え付けることができるとともに、ゴンドラ装置を縮小して昇降路からの搬出を容易に行なうことができる。
【発明を実施するための最良の形態】
【００１５】
以下、この発明の実施形態について図面を参照して説明する。
【００１６】
図１にはゴンドラ装置１の側面図を、図２には同じく正面図を示してある。ゴンドラ装置１はゴンドラ本体２を備え、このゴンドラ本体２は床枠部３を有し、この床枠部３の両側部の上面に互いに対向するように断面Ｌ状の鋼材４が取り付けられ、これら鋼材４の起立側面にその上方に立ち上がるように、複数の桟材５で構成された手摺枠６が取り付けられている。そして、床枠部３の下面の四隅部分に、ゴンドラ装置１を走行させるためのキャスター７が取り付けられている。
【００１７】
ゴンドラ本体２の内側の両側下部には電動ウインチ８が取り付けられ、これら電動ウインチ８は駆動ロープ９を備え、ゴンドラ装置１の使用時にこれら駆動ロープ９が昇降路１０の天井部に設けられたフック１１に連結される。そして、電動ウインチ８の駆動で駆動ロープ９が巻き取られることでゴンドラ装置１が昇降路１０内に吊下げられ、またその電動ウインチ８の駆動を制御することでゴンドラ装置１を上下に移動させることができるようになっている。
【００１８】
ゴンドラ本体２の内側の両側には伸縮支柱１５が取り付けられている。これら伸縮支柱１５はゴンドラ本体２に対して上下に伸縮可能な第１の支柱材１５ａと、この第１の支柱材１５ａに対して上下に伸縮可能な第２の支柱材１５ｂとで構成されている。そしてこれら伸縮支柱１５における第２の支柱材１５ｂの上端部間に保護天井１７が水平に架設されている。この保護天井１７は、前記支柱材１５ｂに固定された主天井１８と、この主天井１８に対してゴンドラ本体２の前後方向に水平に伸縮可能に取り付けられた二つの可動天井１９ａ，１９ｂとで構成されている。
【００１９】
ゴンドラ本体２の前部には前側手摺枠部２２が設けられている。図４にはゴンドラ本体２と前側手摺枠部２２との結合構造を示してある。前側手摺枠部２２は、下部両側に断面Ｌ状の鋼材２３を備え、これら鋼材２３は互い対向するとともに、桟材２１を介して互いに結合されている。そして各鋼材２３の起立側面に、図１に示すようにその上方に立ち上がる手摺枠２５が取り付けられている。手摺枠２５は複数の桟材２４を組み合わせて構成されている。
【００２０】
前側手摺枠部２２の各鋼材２３はゴンドラ本体２の鋼材４の内側に摺動自在に重ね合わされ、その鋼材４に対して摺動することにより前側手摺枠部２２がゴンドラ本体２の前後方向に伸縮するようになっている。図１及び図４には前側手摺枠部２２が伸長した状態を示してあり、この状態は前側手摺枠部２２の鋼材２３とゴンドラ本体２の鋼材４との重なり部をボルトなどの締結部材２６で互いに締結することにより固定される。図３には前側手摺枠部２２をゴンドラ本体２内に収納して縮小した状態を示してある。
【００２１】
前側手摺枠部２２の内側には図１に示すように前記電動ウインチ８を運転操作するための制御盤２７が着脱可能に取り付けられ、また図２に示すように前側手摺枠部２２の前面の開放部にはその開閉用の開閉枠２８ａ，２８ｂが設けられている。
【００２２】
さらに、前側手摺枠部２２の前面下部には跳ね出し足場２９が設けられている。この跳ね出し足場２９は、その左右側の両端部がリンクレバー３０を介して前側手摺枠部２２の前部に連結されている。図５には跳ね出し足場２９の取り付け部の構造を拡大して示してあり、リンクレバー３０はほぼ逆Ｌ字状をなし、その一端部がヒンジピン３１を介して前側手摺枠部２２の桟材２４に回動自在に枢着され、他端部がヒンジピン３２を介して跳ね出し足場２９の端部に回動自在に枢着されている。
【００２３】
跳ね出し足場２９の前部と前側手摺枠部２２の桟材２４との間には支持用のチェーン３５が掛け渡され、このチェーン３５と前記リンクレバー３０とで支持されて跳ね出し足場２９の後端面が前側手摺枠部２２の前面下部に当接することにより跳ね出し足場２９がほぼ水平に保持され、この状態から跳ね出し足場２９をヒンジピン３１を中心に上方に引き上げて前側手摺枠部２２の内側に移動させることにより跳ね出し足場２９を前側手摺枠部２２の内側下部に収納することができるようになっている。そして収納した跳ね出し足場２９をその収納時の逆順の操作で前側手摺枠部２２の前部に水平に突出する状態に配置させることができるようになっている。
【００２４】
ゴンドラ本体２の底部には、図５に示すようにその左右側に離れて二つの伸縮可能な支え装置３８が設けられている。これら支え装置３８は、ゴンドラ本体２の底部にその前後方向に沿って固定された断面角形の外パイプ３９ａと、この外パイプ３９ａ内に摺動自在に挿入された断面角形の内パイプ３９ｂとで構成されている。
【００２５】
外パイプ３９ａの一側面には、図６に示すようにその長手方向に沿ってスリット状の長孔４０が形成され、この長孔４０を通して外パイプ３９ａの外側から内パイプ３９ｂの端部側面にボルトなどからなるストッパーピン４１が取り付けられている。したがって内パイプ３９ｂは長孔４０の長さ分だけゴンドラ本体２の後方側に伸長して突出することができ、ストッパーピン４１が長孔４０の端部に当接することにより内パイプ３９ｂの抜け落ちが防止される。
【００２６】
内パイプ３９ｂの突出先端側の端面には端板４２が取り付けられ、この端板４２の一部は図７に示すように内パイプ３９ｂの側方に突出し、その突出部に透孔４４が形成されている。内パイプ３９ｂをゴンドラ本体２の内側に向けて押し込んで縮小させたときには、前記端板４２がゴンドラ本体２の後端面に当接する。そして、前記端板４２の透孔４４を通してゴンドラ本体２の後端面にボルトを螺挿して締め付けることにより内パイプ３９ｂをゴンドラ本体２に固定してその飛び出しを防止することができるようになっている。また、内パイプ３９ｂの突出先端側の上面には支持駒４６が取り付けられている。
【００２７】
図１に示すように、ゴンドラ本体２の後部内側には継ぎ足し手摺枠部４８が設けられている。この継ぎ足し手摺枠部４８は、図４に示すように下部両側に互いに対向する断面Ｌ状の鋼材５０を備え、これら鋼材５０が桟材５１を介して互いに結合されている。そして各鋼材５０の側面に、図１に示すようにその上方に立ち上がる手摺枠５２が取り付けられている。手摺枠５２は複数の桟材５４を組み合わせて構成されている。
【００２８】
継ぎ足し手摺枠部４８の各鋼材５０はゴンドラ本体２の鋼材４の内側に摺動自在に重ね合わされ、その鋼材４に対して摺動することにより継ぎ足し手摺枠部４８がゴンドラ本体２の前後方向に伸縮するようになっている。
【００２９】
図１及び図４は継ぎ足し手摺枠部４８を伸長させた状態を示してあり、この状態は継ぎ足し手摺枠部４８の鋼材５０とゴンドラ本体２の鋼材４との重なり部をボルトなどの締結部材５３で締結することにより固定される。また、この伸長状態のもとでは、前記各支え装置３８の内パイプ３９ｂが伸長され、これら内パイプ３９ｂにより継ぎ足し手摺枠部４８が支持される。すなわち、伸長した内パイプ３９ｂの先端の支持駒４６が継ぎ足し手摺枠部４８の鋼材５０の下面に接触して継ぎ足し手摺枠部４８が下から支持される。
【００３０】
継ぎ足し手摺枠部４８の後部にはその後方側に延びるように後側手摺枠部５５が取り付けられている。この後側手摺枠部５５は、下部両側に互いに対向する断面Ｌ状の鋼材５７を備え、これら鋼材５７は桟材５８を介して互いに結合されている。そして各鋼材５７の側面に、図１に示すようにその上方に立ち上がる手摺枠６０が取り付けられている。手摺枠６０は複数の桟材６２を組み合わせて構成されている。
【００３１】
後側手摺枠部５５は各鋼材５７の一端側の端部が継ぎ足し手摺枠部４８の鋼材５０の内側に重ね合わされ、その重なり部をボルトなどの締結部材６１で締結することにより継ぎ足し手摺枠部４８に着脱可能に取り付けられている。
【００３２】
ゴンドラ本体２に対して前側手摺枠部２２、継ぎ足し手摺枠部４８が伸長され、その継ぎ足し手摺枠部４８に後側手摺枠部５５が取り付けられたときには、前側手摺枠部２２の鋼材２３間、継ぎ足し手摺枠部４８の鋼材５０間、後側手摺枠部５５の鋼材５７間に図１に示すようにそれぞれ足場板６３が敷き詰められる。
【００３３】
このゴンドラ装置１を昇降路１０内に搬入するときには、前記各足場板６３を取り外し、前記継ぎ足し手摺枠部４８から後側手摺枠部５５を取り外し、かつ伸縮支柱１５、前側手摺枠部２２、継ぎ足し手摺枠部４８、支え装置３８及び跳ね出し足場２９をそれぞれゴンドラ本体２内に収納して縮小し、この縮小したコンパクトな状態でゴンドラ装置１を昇降路１０内に搬入し、昇降路１０のピット部に配置する。この際、前記各足場板６３及び後側手摺枠部５５はゴンドラ本体２内に積み込んでおく。
【００３４】
この後、伸縮支柱１５を伸長し、その上端部の保護天井１７の可動天井１９ａ，１９ｂを伸長して拡張し、またゴンドラ本体２から前側手摺枠部２２及び継ぎ足し手摺枠部４８を伸長し、締結部材２６，５３でその伸長状態を固定し、さらに支え装置３８の内パイプ３９ｂを伸長して継ぎ足し手摺枠部４８をその下から支持する。そして、継ぎ足し手摺枠部４８に後側手摺枠部５５を取り付け、締結部材６１で締結し、前側手摺枠部２２、継ぎ足し手摺枠部４８及び後側手摺枠部５５の各底部に足場板６３を敷き詰め、また跳ね出し足場２９をゴンドラ本体２の前部側に回動して水平に突出させる。
【００３５】
次に、電動ウインチ８から駆動ロープ９を引き出し、その先端部を昇降路１０の天井部のフック１１に掛止める。そして、ゴンドラ装置１内に作業員が乗り込む。ゴンドラ装置１内に作業員が乗り込む際には、前側手摺枠部２２の前部に突出している跳ね出し足場２９に足を掛け、開閉枠２８ａ，２８ｂを開いて乗り込む。また、ゴンドラ装置１から降りるときにも前記跳ね出し足場２９に足を掛けて降りる。これによりゴンドラ装置１に対する乗り降りを容易にかつ安全に行なえる。
【００３６】
ゴンドラ装置１に作業員が乗り込んだ後には、制御盤２７を操作し、電動ウインチ８を駆動してゴンドラ装置１を所望の位置に吊り上げ、また上下に移動させながらエレベータ用品としての例えばガイドレールを昇降路１０の壁面に据え付けたり、昇降路１０の出入口に三方枠を据え付けたりする。
【００３７】
このゴンドラ装置１においては、ゴンドラ本体２の前方側に前側手摺枠部２２が伸長し、後方側に継ぎ足し手摺枠部４８及び後側手摺枠部５５が伸長して作業域が広がり、その作業域の周囲が手摺枠６，２５，５２，６０で囲まれており、このためゴンドラ装置１内に乗り込んだ作業員が昇降路１０の内壁面の近くにまで移動して容易に能率よくかつ安全に昇降路１０の内壁面などにエレベータ用品を据え付けることができる。
【００３８】
特に、ゴンドラ本体２の後方側には継ぎ足し手摺枠部４８と後側手摺枠部５５とが二段式に伸長しており、このため奥行寸法の大きな昇降路１０の場合であっても、そのゴンドラ装置１が昇降路１０の奥行側の壁面に接近し、このため作業員が大きく身を乗り出すような不自然で危険な体勢をとることなく、容易にその壁面にエレベータ用品を据え付けることができる。
【００３９】
また、ゴンドラ本体２の前部側に伸長した前側手摺枠部２２の前部には跳ね出し足場２９がその前方に水平に突出するように配置されており、このためその跳ね出し足場２９の分だけゴンドラ装置１が昇降路１０の前側に接近し、このため作業の途中などに昇降路１０の前側の出入口からゴンドラ装置１に対して乗り降りする際に、その跳ね出し足場２９に足を掛けて容易に能率よくかつ安全に乗り降りすることができる。
【００４０】
継ぎ足し手摺枠部４８は支え装置３８により下から支持されて補強されており、したがってその伸長状態を安定して保持することができる。また、跳ね出し足場２９はその先端部と前側手摺枠部２２とに渡って掛け渡されたチェーン３５で支持されて補強されており、したがってその水平突出状態を安定して保持することができる。
【００４１】
エレベータ用品の据え付け作業が終了した後には、ゴンドラ装置１を昇降路１０のピット部に降し、電動ウインチ８の駆動ロープ９を昇降路１０の天井部のフック１１から取り外す。そしてゴンドラ装置１の内側の各足場板６３を取り外し、また後側手摺枠部５５を継ぎ足し手摺枠部４８から取り外す。さらに、前側手摺枠部２２及び継ぎ足し手摺枠部４８をそれぞれゴンドラ本体２内に収納して縮小し、跳ね出し足場２９を回動して前側手摺枠部２２の内側に収納し、伸縮支柱１５を縮小してゴンドラ本体２内に収納し、保護天井１７の可動天井１９ａ，１９ｂを主天井１８内に収納して縮小する。なお、ゴンドラ装置１から取り外した前記各足場板６３及び継ぎ足し手摺枠部４８から取り外した前記後側手摺枠部５５はゴンドラ本体２内に積み込む。
【００４２】
これによりゴンドラ装置１の全体がコンパクトな小型の状態に縮小する。そしてこの状態でゴンドラ装置１を昇降路１０に通じる建屋の出入口を通して昇降路１０から搬出する。
【００４３】
この際、ゴンドラ装置１の全体は小型のコンパクトな状態に縮小されており、このため前記出入口の内周部に三方枠が取り付けられ、その開口幅が狭まっていてもゴンドラ装置１を容易に搬出することができる。
【００４４】
建屋の昇降路１０にエレベータを設置するときの着工の開始から引渡しまでの全体の作業工程の流れを図９に示してある。図９のステップ３に示すように、昇降路１０内には揚重装置が設置され、この揚重装置を用いてゴンドラ装置１の搬入や吊下げなどの作業が行なわれる。そしてステップ３１で示す昇降路１０内でのかごの組み立てが行なわれる前にゴンドラ装置１の縮小や搬出の作業が行なわれる。
【図面の簡単な説明】
【００４５】
【図１】この発明の一実施形態に係るゴンドラ装置の拡張時の状態を示す側面図。
【図２】ゴンドラ装置を前側から見た正面図。
【図３】ゴンドラ装置の縮小時の状態を示す側面図。
【図４】ゴンドラ装置のゴンドラ本体に対する前側手摺枠部、継ぎ足し手摺枠部、後側手摺枠部の結合構造を示す平面図。
【図５】ゴンドラ装置の跳ね出し足場の支持構造を示す側面図。
【図６】ゴンドラ装置の支え装置の構造を示す側面図。
【図７】ゴンドラ装置の支え装置の構造を示す正面図。
【図８】エレベータを昇降路に設置する際の着工開始からその完了までの作業工程を順に示すフローチャート。
【符号の説明】
【００４６】
１…ゴンドラ装置
２…ゴンドラ本体
３…床枠部
６…手摺枠
８…電動ウインチ
９…駆動ロープ
１０…昇降路
１５…伸縮支柱
１７…保護天井
２２…前側手摺枠部
２３…鋼材
２５…手摺枠
２６…締結部材
２７…制御盤
２９…跳ね出し足場
３５…チェーン
３８…支え装置
４８…継ぎ足し手摺枠部
５２…手摺枠
５３…締結部材
５５…後側手摺枠部
６０…手摺枠
６１…締結部材
６３…足場板
【図１】
0005132080.tif 000002
【図２】
0005132080.tif 000003
【図３】
0005132080.tif 000004
【図４】
0005132080.tif 000005
【図５】
0005132080.tif 000006
【図６】
0005132080.tif 000007
【図７】
0005132080.tif 000008
【図８】
0005132080.tif 000009